(57)【要約】【課題】本発明は魚釣用スピニングリールに関し、慣性力付与部材の機能を十分に発揮させることでロータの軽量化に伴う回転フイーリング性の低下を防止し、併せて釣糸巻取り操作時の糸落ち現象を防止した魚釣用スピニングリールを提供することを目的とする。【解決手段】リール本体に回転可能に装着されたロータと、リール本体にスプール軸を介して支持され、ハンドルによるロータの回転で釣糸が巻回されるスプールとを備え、ロータは、スプールの内周側に配置された円筒部と、当該円筒部の後端部からリール本体の前方に延設された一対の支持アームとからなる魚釣用スピニングリールに於て、上記ロータに、その円筒部の外周より径方向外方に一部が突出する慣性力付与部材を取り付けたことを特徴とする。【選択図】      図３
2004261041.tif 000002
【特許請求の範囲】
【請求項１】
リール本体に回転可能に装着されたロータと、リール本体にスプール軸を介して支持され、ハンドルによるロータの回転で釣糸が巻回されるスプールとを備え、
ロータは、スプールの内周側に配置された円筒部と、当該円筒部の後端部からリール本体の前方に延設された一対の支持アームとからなる魚釣用スピニングリールに於て、
上記ロータに、その円筒部の外周より径方向外方に一部が突出する慣性力付与部材を取り付けたことを特徴とする魚釣用スピニングリール。
【発明の詳細な説明】
【０００１】
【発明の属する技術分野】
本発明は魚釣用スピニングリールに関する。
【０００２】
【従来の技術】
図８に示すように、従来、ハンドル１の回転操作に連動回転する魚釣用スピニングリール（以下、「スピニングリール」という）３のロータ５は、スプール７の内周側に配置される円筒部９と、当該円筒部９の後端部から前方に延設された一対の支持アーム１１，１３とからなり、両支持アーム１１，１３の先端に、支持部材（ベールアーム）１５，１７が釣糸巻取り位置と釣糸放出位置とに反転自在に装着されている。そして、両支持部材間１５，１７に半環状のベール１９が取り付き、スプール７に釣糸を案内する釣糸案内部（ラインローラ）２１が、一方の支持部材１５に装着されている。
【０００３】
そして、ベール１９を釣糸放出位置へ倒して仕掛けを投擲すると、スプール７に巻回された釣糸がスパイラル状に繰り出され、また、ベール２１を釣糸巻取り位置に反転させて巻取り操作を行うと、ロータ５の回転に連動して前後方向へ往復動するスプール７に、ラインローラ２１を介して釣糸が巻回されるようになっている。
【０００４】
ところで、従来、スピニングリールのロータは、合成樹脂やアルミニウム合金，マグネシウム合金等の軽金属で製造されて軽量化が図られている状況にあり、このようにロータの軽量化が図られると、慣性モーメントが小さくなって起動時（回転開始時）にロータを軽く回転させることが可能となる。
しかし、その反面、ハンドル回転操作力の加減によって容易にロータの回転速度が変化するため、滑らかさに欠けて回転フイーリング性が低下するという不具合があり、また、単純に慣性力を増加（ロータの重量化）してしまうと、ロータの初期駆動力が重くなって、起動時の効率が損なわれてしまうこととなる。
【０００５】
そこで、斯かる不具合を解決するため、昨今、慣性力付与部材をロータの円筒部に着脱自在に装着したスピニングリールが提案されている（例えば、下記の特許文献１参照。）。
図９は特許文献１に開示されたスピニングリールの要部斜視図を示し、図に於て、２３はロータ２５の円筒部で、当該円筒部２３の先端側に突設した環状壁２７内部の底面２９に、ロータ２５よりも比重の大きい金属材料で成形された慣性力付与リング３１が、スプール軸（図示せず）と同芯に複数本のねじ３３で着脱自在に取り付けられており、斯様に慣性力付与リング３１を円筒部２３の底面２９に取り付けることで、ロータ２５の軽量化に伴う回転フイーリング性の低下を防止し、また、これを取り外すことで起動時の効率アップを図っている。
【０００６】
【特許文献１】
特開２００２−１８６３８７号公報（段落番号「００２４」、図５）
【０００７】
【発明が解決しようとする課題】
しかし、上述した従来例は、環状壁２７の径方向内側に慣性力付与リング３１を装着した構造上、慣性力付与リング３１の外径が制約されて小径となってしまい、慣性力付与機能が十分に発揮できない欠点があった。
【０００８】
また、スプールの後部スカート部内周とロータの円筒部外周との間には隙間があり、釣糸の巻取り操作でスプールが前方に移動した際に、この隙間から釣糸が内部に侵入して糸絡みし易い課題をスピニングリールは有している。
そして、スピニングリールは、ロータの金型成形上、円筒部に抜きテーパ（円筒部の前方が先細のテーパ形状）が形成されることから、上述した糸落ち現象が更に生じ易くなっているのが実情である。
【０００９】
本発明は斯かる実情に鑑み案出されたもので、慣性力付与部材の機能を十分に発揮させることでロータの軽量化に伴う回転フイーリング性の低下を防止し、併せて釣糸巻取り操作時の糸落ち現象を防止したスピニングリールを提供することを目的とする。
【００１０】
【課題を解決するための手段】
斯かる目的を達成するため、請求項１に係る発明は、リール本体に回転可能に装着されたロータと、リール本体にスプール軸を介して支持され、ハンドルによるロータの回転で釣糸が巻回されるスプールとを備え、ロータは、スプールの内周側に配置された円筒部と、当該円筒部の後端部からリール本体の前方に延設された一対の支持アームとからなるスピニングリールに於て、上記ロータに、その円筒部の外周より径方向外方に一部が突出する慣性力付与部材を取り付けたことを特徴とする。
【００１１】
（作用）
請求項１に係る発明によれば、ハンドル操作で釣糸の巻取りを行うと、ロータの回転に連動して前後方向へ往復動するスプールに釣糸が巻回されるが、ロータには、円筒部の外周より径方向外方に一部が突出する慣性力付与部材が装着されているため、単にロータを合成樹脂やアルミニウム合金，マグネシウム合金等の軽金属で製造して軽量化を図った場合に比し、ロータの慣性モーメントが増加して回転がスムーズになり、回転フイーリング性が向上する。
【００１２】
而も、慣性力付与部材はその一部が円筒部の外周より径方向外方に突出した構造上、慣性力付与部材の回転半径が大きくなって慣性力付与機能が十分に発揮されることとなる。
また、釣糸の巻取り操作でスプールが前方に移動した際に、スプール内周とロータの円筒部外周との間の隙間から釣糸が内部に侵入しようとしても、円筒部の外周より径方向外方に突出する慣性力付与部材が、スプールから円筒部に落ちた釣糸の内部への侵入を防止する。
【００１３】
【発明の実施の形態】
以下、本発明の実施形態を図面に基づいて詳細に説明する。
図１乃至図３は請求項１に係るスピニングリールの第一実施形態を示し、図中、３５は図示しない軸受を介してリール本体３７の前部に回転可能に軸支された中空なフライヤ軸で、その先端にロータ３９がナット４１で固定されている。
【００１４】
そして、フライヤ軸３５の後端のピニオンに、ハンドル４３のハンドル軸に固着した駆動歯車が噛合しており、ハンドル４３の回転操作が、駆動歯車，ピニオンからフライヤ軸３５に伝達されてロータ３９が回転するようになっている。
図２に示すようにロータ３９は、後述するスプール４５の内周側に配置される円筒部４７と、当該円筒部４７の後端部から前方に延設された一対の支持アーム４９，５１とからなり、円筒部４７はスプール４５の前方側に向けて先細のテーパ形状（金型成形上の抜きテーパ）とされて、図３の如くその前面５３は平坦に成形されている。
【００１５】
そして、両支持アーム４９，５１の先端に、支持部材５５が釣糸巻取り位置と釣糸放出位置とに反転自在に装着されており、支持部材５５間に半環状のベール５７が取り付き、更にスプール４５に釣糸を案内するラインローラ５９が一方の支持部材５５に装着されている。
また、図２中、６１はフライヤ軸３５を挿通してリール本体３７に取り付くスプール軸で、当該スプール軸６１は、その後端部に固着した摺動子やトラバースカム軸からなるトラバース機構により、ロータ３９の回転に連動してリール本体３７の前後方向へ往復動するようになっている。そして、スプール軸６１のロータ３９側突出端に、ドラグ機構を介してスプール４５が回転可能に支持されており、スプール４５は前鍔部６３と釣糸巻回胴部６５とスカート部（後鍔部）６７とで構成され、スカート部６７の内周側にロータ３９の円筒部４７が配置されている。
【００１６】
そして、従来と同様、ベール５７を釣糸巻取位置側へ倒してハンドル操作でロータ３９を釣糸巻取り方向へ回転させると、これに連動して前後方向へ往復動するスプール４５（釣糸巻回胴部６５）に釣糸が巻回され、また、ベール５７を釣糸放出位置側へ反転させて仕掛けを投擲すると、スプール４５に巻回された釣糸がスパイラル状に繰り出されるようになっている。
【００１７】
而して、本実施形態に係るスピニングリール６９は、上述の如き従来と同様の構成に加え、以下の如き特徴を有する。
既述したようにロータ３９は、円筒部４７と、当該円筒部４７の後端部から前方に延設された一対の支持アーム４９，５１とからなり、円筒部４７は前方が先細のテーパ形状とされてその前面５３が平坦に成形されているが、軽量化を図る目的で、ロータ３９はアルミニウム合金やマグネシウム合金等の軽金属で製造されている。
【００１８】
そして、上記前面５３に、ロータ３９に慣性モーメントを付与する慣性力付与リング（慣性力付与部材）７１がネジＳで着脱可能に抜け止めされている。
図３に示すように慣性力付与リング７１は、円筒部４７の前面５３と同一外径に成形された平面視円形状のリング本体７３と、当該リング本体７３から径方向外方へ９０°の間隔を開けて突設された４つの突部７５とからなり、ロータ３９の回転バランスを考慮して慣性力付与リング７１は円筒部４７と同芯、つまりスプール軸６１と同芯に前面５３にボルト締めされている。
【００１９】
而して、斯様に慣性力付与リング７１が円筒部４７の前面５３に取り付くことで、図２に示すように慣性力付与リング７１の突部７５が、円筒部４７の外周より径方向外方に突出した構造となっている。
その他、図３中、７６は円筒部４７の前面５３に設けられたフライヤ軸３５の回り止め係止部に嵌合する回り止め挿通孔で、当該回り止め挿通孔７６から突出するフライヤ軸３５先端のねじ部に前記ナット４１が螺着している。
【００２０】
本実施形態はこのように構成されているから、従来のスピニングリールと同様、ベール５７を釣糸放出位置へ倒して仕掛けを投擲すると、スプール４５の釣糸巻回胴部６５に巻回された釣糸がスパイラル状に放出される。
そして、ベール５７を釣糸巻取り位置に反転させてハンドル操作で巻取りを行うと、ロータ３９の回転に連動して前後方向へ往復動するスプール４５にラインローラ５９を介して釣糸が巻回されるが、ロータ３９の前面５３には、円筒部４７の外周より径方向外方に４つの突部７５が突出する慣性力付与リング７１が装着されているため、単にロータをアルミニウム合金やマグネシウム合金等の軽金属で製造して軽量化を図った場合に比し、ロータ３９の慣性モーメントが増加して回転がスムーズになり、回転フイーリング性が向上する。
【００２１】
而も、本実施形態の慣性力付与リング７１は、円筒部４７の外周より４つの突部７５が径方向外方に突出した構造上、図９の慣性力付与リング３１に比し慣性力付与リング７１の回転半径が大きくなって、慣性力付与リング７１による慣性力付与機能が十分に発揮されることとなる。
また、従来と同様、本実施形態に於ても、スプール４５のスカート部６７内周とロータ３９の円筒部４７外周との間には隙間があるが、釣糸の巻取り操作でスプール４５が前方に移動した際に、この隙間から釣糸が内部に侵入しようとしても、前記突部７５がスプール４５から円筒部４７に落ちた釣糸の内部への侵入を防止する。
【００２２】
このように本実施形態によれば、ロータ３９をアルミニウム合金やマグネシウム合金等の軽金属で製造して軽量化を図っても、ロータ３９に装着した慣性力付与リング７１の４つの突部７５が円筒部４７の外周より径方向外方に突出した構造上、慣性力付与リング７１の慣性力付与機能が十分に発揮されるため、従来に比しロータ３９の慣性モーメントが増加して回転がスムーズになり、回転フイーリング性が向上することとなった。
【００２３】
また、スプール４５から円筒部４７に落ちた釣糸の内部への侵入を突部７５が防ぐため、ロータ３９の円筒部４７に形成される前方先細形状の金型抜きテーパの影響による内部への糸落ち現象を確実に防止することができる利点を有する。
図４及び図５は請求項１に係るスピニングリールの第二実施形態を示し、図中、７７は前記慣性力付与リング７１と同一の材料で成形された慣性力付与リングで、図示するように慣性力付与リング７７は、円筒部４７の前面５３よりも大径に成形された平面視円形状のリング本体７９からなり、ロータ３９の回転バランスを考慮して慣性力付与リング７７は、スプール軸６１と同芯に円筒部４７の前面５３にボルト締めされている。
【００２４】
そして、斯様に慣性力付与リング７７が円筒部４７の前面５３に取り付くことで、リング本体７９の外周縁８１側が、円筒部４７の外周より径方向外方に突出した構造となっている。
尚、その他の構成は前記第一実施形態と同様であるので、同一のものには同一符号を付してそれらの説明は省略する。
【００２５】
このように本実施形態は、ロータ３９の前面５３に、当該前面５３より大径な平面視円形状のリング本体７９からなる慣性力付与リング７７をスプール軸６１と同芯に装着したため、円筒部４７の外周より径方向外方にリング本体７９の外周縁８１側が突出する。
従って、単にロータをアルミニウム合金やマグネシウム合金等の軽金属で製造して軽量化を図った場合に比し、ロータ３９の慣性モーメントが増加して回転がスムーズになり、回転フイーリング性が向上するが、慣性力付与リング７７は、筒部４７の外周より径方向外方にリング本体７９の外周縁８１側が突出した構造上、図９の慣性力付与リング３１に比し慣性力付与リング７７の回転半径が大きくなって、慣性力付与リング７７による慣性力付与機能が十分に発揮される。
【００２６】
また、釣糸の巻取り操作でスプール４５が前方に移動した際に、スプール４５のスカート部６７内周とロータ３９の円筒部４７外周との間の隙間から釣糸が内部に侵入しようとしても、径方向外方に突出するリング本体７９の外周縁８１側が、スプール４５から円筒部４７に落ちた釣糸の内部への侵入を防止する。
従って、本実施形態によれば、ロータ３９をアルミニウム合金やマグネシウム合金等の軽金属で製造して軽量化を図っても、慣性力付与リング７７のリング本体７９の外周縁８１側が円筒部４７の外周より径方向外方に突出した構造上、慣性力付与リング７７の慣性力付与機能が十分に発揮され、この結果、従来に比しロータ３９の慣性モーメントが増加して回転がスムーズとなり、回転フイーリング性が向上することとなる。
【００２７】
而も、スプール４５から円筒部４７に落ちた釣糸の内部への侵入をリング本体７９の外周縁８１側が防ぐため、ロータ３９の円筒部４７に形成される前方先細形状の金型抜きテーパの影響による内部への糸落ち現象を確実に防止することができる利点を有する。
尚、図６及び図７の如く円筒部４７の先端側に環状壁８３が突設されたロータ３９−１に図３の慣性力付与リング７１を装着する場合には、当該慣性力付与リング７１の突部７５に対応する切欠き８５を環状壁８３内部の底面８７まで設けて、当該切欠き８５から突部７５が径方向外方に突出するように慣性力付与リング７１を底面８７にボルト締めすればよい。
【００２８】
而して、本実施形態によっても、図１の実施形態と同様、所期の目的を達成することが可能である。
【００２９】
【発明の効果】
以上述べたように、請求項１に係る発明によれば、ロータを合成樹脂やアルミニウム合金，マグネシウム合金等の軽金属で製造して軽量化を図っても、ロータに装着した慣性力付与部材の一部が円筒部の外周より径方向外方に突出する構造上、慣性力付与部材の慣性力付与機能が十分に発揮されるため、従来に比しロータの慣性モーメントが増加して回転がスムーズになり、回転フイーリング性が向上することとなった。
【００３０】
また、慣性力付与部材の一部が円筒部の外周より径方向外方に突出することで、スプールから円筒部に落ちた釣糸の内部への侵入が防止でき、この結果、ロータの円筒部に形成される前方先細形状の金型抜きテーパの影響による内部への糸落ち現象を確実に防止することができる利点を有する。
【図面の簡単な説明】
【図１】請求項１の第一実施形態に係るスピニングリールの正面図である。
【図２】図１に示すスピニングリールの要部拡大断面図である。
【図３】ロータとこれに取り付く慣性力付与リングの斜視図である。
【図４】請求項１の第二実施形態に係るスピニングリールの要部拡大断面図である。
【図５】ロータとこれに取り付く慣性力付与リングの斜視図である。
【図６】請求項１の第三実施形態に係るスピニングリールのロータとこれに取り付く慣性力付与リングの正面図である。
【図７】請求項１の第三実施形態に係るスピニングリールの要部拡大断面図である。
【図８】従来のスピニングリールの正面図である。
【図９】従来のロータとこれに取り付く慣性力付与リングの斜視図である。
【符号の説明】
３５  フライヤ軸
３７  リール本体
３９，３９−１  ロータ
４３  ハンドル
４５  スプール
４７  円筒部
４９，５１  支持アーム
５５  支持部材
５７  ベール
５９  ラインローラ
６１  スプール軸
６７  スカート部
６９  スピニングリール
７１，７７  慣性力付与リング
７３，７９  リング本体
７５  突部
８１  外周縁
８３  環状壁
８５  切欠き
８７  底面
【図１】
2004261041.tif 000003
【図２】
2004261041.tif 000004
【図３】
2004261041.tif 000005
【図４】
2004261041.tif 000006
【図５】
2004261041.tif 000007
【図６】
2004261041.tif 000008
【図７】
2004261041.tif 000009
【図８】
2004261041.tif 000010
【図９】
2004261041.tif 000011